(57)【要約】      （修正有）【課題】洗い動作中の手の動作量を低減させることができる、あるいは水跳ねを減少させることができるキッチン用水栓及びこれを備えたシステムキッチンおよびキッチン用水栓を提供する。【解決手段】シンク３０と、吐水口２２、２４を有するキッチン用水栓２０とを備えたシステムキッチンであって、吐水口２２、２４から吐水された水の少なくとも一部は、シンク３０の上面３２と、シンク３０の前面３６と後面３８との中央部と、が交差する所定領域４２を通過し、前面３６と、後面３８と、の中心よりも前面３６側のシンク３０の底面３４に着水するように、吐水口２２、２４の向きを、前面３６に向けたシステムキッチン。【選択図】図２
2010106652.tif 000002
【特許請求の範囲】
【請求項１】
シンクと、
吐水口を有するキッチン用水栓と、
を備えたシステムキッチンであって、
前記吐水口から吐水された水の少なくとも一部は、前記シンクの上面と、前記シンクの前面と後面との中央部と、が交差する所定領域を通過し、
前記前面と、前記後面と、の中心よりも前記前面側の前記シンクの底面に着水するように、
前記吐水口の向きを、前記前面に向けたことを特徴とするシステムキッチン。
【請求項２】
前記吐水口から吐水された水の少なくとも一部は、前記所定領域のうち、前記中心よりも前記前面側を通過することを特徴とする請求項１に記載のシステムキッチン。
【請求項３】
前記吐水口は、前記シンクの前記前面と、前記後面と、の中央部より前記後面側に位置することを特徴とする請求項１または２に記載のシステムキッチン。
【請求項４】
前記吐水口は、複数の散水孔を有しシャワー水が吐水されるシャワー用吐水口であることを特徴とする請求項１乃至３のいずれか１項に記載のシステムキッチン。
【請求項５】
吐水口を有するキッチン水栓であって、
前記吐水口から吐水された水の少なくとも一部は、シンクの上面と、シンクの前面と後面との中央部と、が交差する所定領域を通過し、
前記前面と、前記後面と、の中心よりも前記前面側の前記シンクの底面に着水するように、
前記吐水口の向きを、前記前面に向けたことを特徴とする請求項１乃至４のいずれか１項に記載のキッチン用水栓。
【請求項６】
取付面から略鉛直方向に立ち上がる立位部と、
少なくとも１つ以上の吐水口を備え、前記立位部に対し、屈曲部を介して、前記吐水口を備えた面側に傾斜して立ち上がる吐水部と、
を有するキッチン用水栓であって、
前記吐水口の向きの延長線上と、前記取付面を含む水平面と、が交差する交差点と、前記吐水口が前記取付面を含む水平面上に投影された投影点と、を結ぶ長さが、
前記吐水口と、前記立位部が取り付けられた前記取付面上の立位部取付位置の水平成分距離よりも長くなるようにし、
且つ前記吐水口と、前記立位部取付位置の垂直成分距離が水平成分距離よりも同じか、若しくは長くなるように、前記立位部よりも前記吐水部の長さが長くしたことを特徴とするキッチン用水栓。
【請求項７】
前記吐水口は、複数の散水孔が穿設されたシャワー用吐水口であることを特徴とする請求項６に記載のキッチン用水栓。
【請求項８】
前記水栓の吐止水および温度、流量を調節する操作部は、前記立位部に配設されることを特徴とする請求項６または７に記載のキッチン用水栓。
【請求項９】
シンクと
前記シンクに吐水流を放出するよう配置された
請求項６乃至８のいずれか１項に記載のキッチン用水栓と、
を備えたシステムキッチン。
【発明の詳細な説明】
【技術分野】
【０００１】
本発明は、水栓とシンクとを備えたシステムキッチン、およびキッチン用水栓に関する。
【背景技術】
【０００２】
調理中などにおいて、包丁や野菜、食器などに付着している汚れを落とすために、洗い動作を行うことがある。このような洗い動作は、２種類の洗い動作に分けることができる。一方は、汚れの少ないものを洗う動作であり、これを「簡単洗い」と呼ぶことにする。他方は、汚れの落ち難いものを洗う動作であって、これを「丁寧洗い」と呼ぶことにする。
【０００３】
「簡単洗い」は、主にすすぎ洗いを行う動作であり、具体的には、包丁、まな板、あるいは汚れの少ない野菜などを洗う動作である。洗浄時間は短く、例えば約２秒程度である。また、簡略的な洗い動作であるため、シンクの側方に設けられた調理台の前に立ちつつ、水栓の方向に向かって野菜などを差し出して洗うことができると便利である。すなわち、調理台から斜め方向に野菜などを差し出して洗うことができると便利である。
【０００４】
これに対して、「丁寧洗い」は、主にこすり洗いを行う動作であり、具体的には泥汚れ、油汚れ、あるいは肉や魚の「ヌメリ」などを洗う動作である。洗浄時間は、「簡単洗い」よりも長く、例えば約１０秒以上である。また、汚れの落ち難いものを洗う動作であるため、シンクおよび水栓の正面に立って魚を切った後のまな板などを差し出して洗うことが多い。
【０００５】
「簡単洗い」および「丁寧洗い」のいずれの洗い動作であっても、洗浄効果を向上させて、洗い動作中の手の動作量を低減させることが好ましい。また、水栓から吐水された水が洗浄物に当たって跳ね返る現象、いわゆる「水跳ね」を減少させることが好ましい。なお、「簡単洗い」は、簡略的な洗い動作であるため、洗い動作中の手の動作量を低減させることがより好ましい。
【０００６】
そこで、洗浄効果を向上させる、あるいは「水跳ね」を低減させることができる噴射ノズル付き流し台のシンクがある（例えば、特許文献１）。特許文献１に記載された噴射ノズル付き流し台のシンクは、ノズルから噴射された水が当たるシンク底面の少なくとも一部をシンク奥行き方向に傾斜させている。また、噴射された水は、所定の広がりをもってキッチンカウンター上面、すなわち水平面に対して斜めに噴射されている。
【０００７】
しかしながら、特許文献１に記載された噴射ノズル付き流し台のシンクにおいては、噴射された水の着水点は、使用者から見てシンクの奥側であるため、手および洗浄物が噴射水に届きにくい。更に、「簡単洗い」の場合においては、使用者が調理台前に立った状態から手及び洗浄物を挿入するため、噴射水に対して更に届きにくい状況となり、身体を前のめりにする、あるいは手を伸ばして洗う等の動作が発生してしまう。つまり、洗い動作中の手の動作量を低減させることができないという問題がある。
【０００８】
一方、手洗いなどを容易にすることができる吐水口口金がある（例えば、特許文献２）。特許文献２に記載された吐水口口金は、斜めに水を吐水させることによって、洗面器上面などに水がかからないようにしている。
【０００９】
しかしながら、特許文献２に記載された吐水口口金は、特許文献１と同様に、吐水された水の着水点は、使用者から見て洗面器の奥側であるため、これをキッチン用水栓に流用しても、使用者が手や洗浄物を挿入する際に吐水へ届きにくいという問題が発生してしまう。特に「簡単洗い」を行う場合においては、更に遠方に手や洗浄物を挿入することになるので、動作量、及び身体への負荷が大きくなる。したがって、洗い動作中の手の動作量を低減させることができないという問題がある。
【先行技術文献】
【特許文献】
【００１０】
【特許文献１】登録実用新案第３０５５１０５号公報
【特許文献２】実用新案登録第２６０５８３６号公報
【発明の概要】
【発明が解決しようとする課題】
【００１１】
本発明は、かかる課題の認識に基づいてなされたものであり、洗い動作中の手の動作量を低減させることができる、あるいは水跳ねを減少させることができるシステムキッチンおよびキッチン用水栓を提供する。
【課題を解決するための手段】
【００１２】
本発明の一態様によれば、シンクと、吐水口を有するキッチン用水栓と、を備えたシステムキッチンであって、前記吐水口から吐水された水の少なくとも一部は、前記シンクの上面と、前記シンクの前面と後面との中央部と、が交差する所定領域を通過し、前記前面と、前記後面と、の中心よりも前記前面側の前記シンクの底面に着水するように、前記吐水口の向きを、前記前面に向けたことを特徴とするシステムキッチンが提供される。
また、本発明の一態様によれば、取付面から略鉛直方向に立ち上がる立位部と、少なくとも１つ以上の吐水口を備え、前記立位部に対し、屈曲部を介して、前記吐水口を備えた面側に傾斜して立ち上がる吐水部と、を有するキッチン用水栓であって、前記吐水口の向きの延長線上と、前記取付面を含む水平面と、が交差する交差点と、前記吐水口が前記取付面を含む水平面上に投影された投影点と、を結ぶ長さが、前記吐水口と、前記立位部が取り付けられた前記取付面上の立位部取付位置の水平成分距離よりも長くなるようにし、且つ前記吐水口と、前記立位部取付位置の垂直成分距離が水平成分距離よりも同じか、若しくは長くなるように、前記立位部よりも前記吐水部の長さが長くしたことを特徴とするキッチン用水栓が提供される。
【発明の効果】
【００１３】
本発明によれば、洗い動作中の手の動作量を低減させることができる、あるいは水跳ねを減少させることができるシステムキッチンおよびキッチン用水栓が提供される。
【図面の簡単な説明】
【００１４】
【図１】本発明の実施の形態にかかるシステムキッチンを表す模式図である。
【図２】本実施形態にかかるキッチン用水栓からシャワー水が吐水されている状態を表す側面模式図である。
【図３】本実施形態にかかるキッチン用水栓から整流水が吐水されている状態を表す側面模式図である。
【図４】本実施形態にかかるキッチン用水栓の吐水口の向きを表す側面模式図である。
【図５】成人女性の水平作業域を例示する模式図である。
【図６】システムキッチンと使用者との位置関係を例示する模式図である。
【図７】本実施形態にかかるキッチン用水栓を表す模式図であり、図７（ａ）は、キッチン用水栓を正面から眺めた正面模式図であり、図７（ｂ）は、キッチン用水栓のＡ−Ａ断面を表す断面模式図であり、図７（ｃ）は、キッチン用水栓のＢ−Ｂ断面を表す断面模式図である。
【図８】シャワー吐水用の散水板を例示する模式図であり、図８（ａ）は、散水板を正面から眺めた正面模式図であり、図８（ｂ）は、散水孔群を例示する模式図である。
【図９】斜め吐水による洗浄効果の検討条件を表す模式図である。
【図１０】整流水における洗浄効果の検討結果を表す模式図である。
【図１１】シャワー水における洗浄効果の検討結果を表す模式図である。
【図１２】斜め吐水による洗浄効果を説明するための模式図であり、図１２（ａ）は、洗浄物に対して斜めに吐水した場合を表した模式図であり、図１２（ｂ）は、洗浄物に対して垂直に吐水した場合を表した模式図である。
【図１３】整流水による洗浄効果を説明するための模式図であり、図１３（ａ）は、整流水を正面から眺めた模式図であり、図１３（ｂ）は、整流水を上面から眺めた模式図である。
【図１４】シャワー水による洗浄効果を説明するための模式図であり、図１４（ａ）は、シャワー水を正面から眺めた模式図であり、図１４（ｂ）は、シャワー水を上面から眺めた模式図である。
【図１５】洗浄物の傾斜による洗浄効果の影響を説明するための模式図であり、図１５（ａ）は、シンク上面に対して斜めに吐水する場合の模式図であり、図１５（ｂ）は、シンク上面に対して垂直に吐水する場合の模式図である。
【図１６】斜め吐水による水跳ねの検討の条件を表す模式図であり、図１６（ａ）は、包丁角度と水栓角度とを説明する模式図であり、図１６（ｂ）は、評価方法を説明する模式図である。
【図１７】斜め吐水による水跳ねの検討の結果を例示する表である。
【図１８】斜め吐水による水跳ねの他の検討の条件を表す模式図であり、図１８（ａ）は、上面から眺めた模式図であり、図１８（ｂ）は、右側方から眺めた模式図である。
【図１９】斜め吐水による水跳ねの他の検討の結果を例示する表である。
【図２０】比較例にかかるシステムキッチンを例示する模式図であり、図２０（ａ）は、吐水口の向きを表す模式図であり、図２０（ｂ）は、シャワー用吐水口から吐水される様子を表す模式図である。
【図２１】本実施形態にかかる洗浄領域を上面から眺めた模式図である。ある。
【図２２】シャワー吐水用の散水板の変形例にかかる散水板を例示する模式図である。
【図２３】本変形例の散水板を使用したシステムキッチンを表す模式図である。
【図２４】本発明の実施の形態にかかるキッチン用水栓からシャワー水が吐水されている状態を表す側面模式図である。
【図２５】本実施形態にかかるキッチン用水栓から整流水が吐水されている状態を表す側面模式図である。
【図２６】本発明の実施形態にかかるキッチン用水栓を例示する模式図であり、図２６（ａ）は、キッチン用水栓を正面から眺めた正面模式図であり、図２６（ｂ）は、キッチン用水栓を側面から眺めた側面模式図である。
【図２７】本発明の実施形態にかかるシステムキッチンを表す模式図である。
【図２８】本発明の実施形態にかかるシステムキッチンを表す側面模式図である。
【図２９】本発明の実施形態にかかるシャワー用吐水口に設けられた散水板の変形例を示した模式図であり、図２９（ａ）は、散水板を正面から眺めた正面模式図であり、図２９（ｂ）は、Ａ−Ａ断面を表す断面模式図である。
【図３０】比較例にかかるキッチン用水栓を表す側面模式図である。
【図３１】比較例にかかるキッチン用水栓を表す側面模式図である。
【図３２】本発明の実施形態にかかるキッチン用水栓の変形例を表す模式図であり、図３１（ａ）は、吐水部の変形例について示したキッチン用水栓２０の側面模式図であり、図３１（ｂ）は、吐水部１５の正面模式図である。
【図３３】本発明の実施形態にかかる操作部の変形例について示した模式図である。
【発明を実施するための形態】
【００１５】
第１の発明の実施形態は、シンクと、吐水口を有するキッチン用水栓と、を備えたシステムキッチンであって、前記吐水口から吐水された水の少なくとも一部は、前記シンクの上面と、前記シンクの前面と後面との中央部と、が交差する所定領域を通過し、前記前面と、前記後面と、の中心よりも前記前面側の前記シンクの底面に着水するように、前記吐水口の向きを、前記前面に向けたことを特徴とするシステムキッチンである。
このシステムキッチンによれば、吐水口から吐水された水が使用者に近い位置に着水するため、洗い動作が効率化されるとともに、斜めに吐水されるため、水跳ねが減少できる。
【００１６】
第２の発明の実施形態は、第１の発明の実施形態において、前記吐水口から吐水された水の少なくとも一部は、前記所定領域のうち、前記中心よりも前記前面側を通過することを特徴とするシステムキッチンである。
このシステムキッチンによれば、シンクの前方側に水が吐水されるため、シンクの側方に延在する調理台の前からでも楽に洗い動作を行うことができる。
【００１７】
第３の発明の実施形態は、第１の発明の実施形態または、第２の発明の実施形態において、前記吐水口は、前記シンクの前記前面と、前記後面と、の中央部より前記後面側に位置することを特徴とするシステムキッチンである。
このシステムキッチンによれば、洗浄領域の上方に吐水口がないため、洗浄領域への視認性が高まる他、広い空間が確保されることになり、洗い動作が効率化される。なお、洗浄領域については後述する。
【００１８】
第４の発明の実施形態は、第１乃至３のいずれか一つの発明の実施形態において、前記吐水口は、複数の散水孔を有しシャワー水が吐水されるシャワー用吐水口であることを特徴とするシステムキッチンである。
このシステムキッチンによれば、広範囲に吐水がかかるため、洗浄物を差し出すだけで、洗浄することが可能となり、洗い動作が効率化される。
【００１９】
第５の発明の実施形態は、第１乃至４のいずれか一つの発明の実施形態において、吐水口を有するキッチン水栓であって、前記吐水口から吐水された水の少なくとも一部は、シンクの上面と、シンクの前面と後面との中央部と、が交差する所定領域を通過し、前記前面と、前記後面と、の中心よりも前記前面側の前記シンクの底面に着水するように、前記吐水口の向きを、前記前面に向けたことを特徴とするキッチン用水栓である。
このキッチン用水栓によれば、吐水口から吐水された水が使用者に近い位置に着水するため、洗い動作が効率化されるとともに、斜めに吐水されるため、水跳ねが減少できる。
【００２０】
第６の発明の実施形態は、取付面から略鉛直方向に立ち上がる立位部と、少なくとも１つ以上の吐水口を備え、前記立位部に対し、屈曲部を介して、前記吐水口を備えた面側に傾斜して立ち上がる吐水部と、を有するキッチン用水栓であって、前記吐水口の向きの延長線上と、前記取付面を含む水平面と、が交差する交差点と、前記吐水口が前記取付面を含む水平面上に投影された投影点と、を結ぶ長さが、前記吐水口と、前記立位部が取り付けられた前記取付面上の立位部取付位置の水平成分距離よりも長くなるようにし、且つ前記吐水口と、前記立位部取付位置の垂直成分距離が水平成分距離よりも同じか、若しくは長くなるように、前記立位部よりも前記吐水部の長さが長くしたことを特徴とするキッチン用水栓が提供される。
このキッチン用水栓によれば、吐水口の位置が高いため、大物調理器具の取り回しが効率化されるのに加え、吐水部に視界を遮られることがないため、視線の誘導がスムーズになり、より動作が効率化される。
【００２１】
第７の発明の実施形態は、第６の発明の実施形態において、前記吐水口は、複数の散水孔が穿設されたシャワー用吐水口であることを特徴とするキッチン用水栓である。
このキッチン用水栓によれば、広範囲に吐水が広がるため、食器や調理器具、食材等の洗浄を素早く行うことができる。
【００２２】
第８の発明の実施形態は、第６の発明の実施形態、または第７の発明の実施形態において、前記水栓の吐止水および温度、流量を調節する操作部は、前記立位部に配設されることを特徴とするキッチン用水栓である。
このキッチン用水栓によれば、吐水口を見下ろす視線の延長線上に操作部があるため、視線の誘導がスムーズになり、吐止水の動作が効率化される。
【００２３】
第９の発明の実施形態は、第６乃至８のいずれか１つの発明の実施形態において、シンクと、前記シンクに吐水流を放出するよう配置されたキッチン用水栓と、を備えたシステムキッチンである。
このシステムキッチンによれば、使用者から見て、より手前側のシンクに着水するため、手が届きやすく、身体の負担のない姿勢で洗浄動作を行わせることが可能となる。また、視界を遮られるものがないため、調理動作をより効率化することができる。
【００２４】
以下、本発明の実施の形態について図面を参照しつつ説明する。なお、各図面中、同様の構成要素には同一の符号を付して詳細な説明は適宜省略する。
図１は、本発明の実施の形態にかかるシステムキッチンを表す模式図である。
本実施形態にかかるシステムキッチン１０は、キッチン用水栓２０と、シンク３０と、を備えている。キッチン用水栓２０は、整流用吐水口２２と、シャワー用吐水口２４と、を有している。シンク３０は、シンク上面３２と、シンク底面３４と、を有している。なお、シンク３０は、シンク上面３２の左側方および右側方の少なくともいずれかに延在する調理台（図示せず）を有していてもよい。なおここで、「整流」とは水流が略一本の吐水形態を意味し、「シャワー」とは水流が複数本の吐水形態を意味するものとする。
【００２５】
キッチン用水栓２０は、使用者から見てシンク３０の奥側、すなわちシステムキッチン１０の後方、且つシンク上面３２に設けられている。キッチン用水栓２０の下方部、すなわちシンク３０に取り付けられている近傍の部分は、シンク上面３２に対して略垂直に設けられているが、所定の寸法よりも上方部は、シンク上面３２に対して傾斜している。傾斜角度は、シンク上面３２に対して例えば約６０度程度である。但し、この傾斜角度は、適宜変更することができる。また、シンク上面３２とシンク後面３８との間（略稜線部分）に、ある一定の角度を持った図示しない設置面を設け、この設置面に対してキッチン用水栓２０を垂直に搭載して斜めの吐水を供給する方法がある。さらに、斜めの設置面からシンク上面３２に対して水平方向に一定距離の長さを有し、その後シンク上面３２に対して垂直方向に所定の寸法を有し、所定寸法より上方部がシンク上面３２に対して傾斜した形状を有するキッチン用水栓２０によって、斜めの吐水を供給する方法がある。上記キッチン用水栓の形状は、キッチン用水栓をシンクに取り付ける面が異なる場合にも斜め吐水を供給できるものであり、どのようなシンクに対しても本発明の効果を供給可能とするものである。また、どの方法に対しても所定の範囲を斜め方向に吐水が通過するように設定することにより、本発明の効果を有するものである。
【００２６】
これに伴い、整流用吐水口２２およびシャワー用吐水口２４は、シンク上面３２およびシンク底面３４に対して傾斜した状態でシンク３０に向かって設けられている。そのため、整流用吐水口２２およびシャワー用吐水口２４から吐水された水は、シンク上面３２およびシンク底面３４に対して斜めに吐水される。なお、本願明細書において「水」という場合には、「湯」を含むものとする。
【００２７】
図２は、本実施形態にかかるキッチン用水栓からシャワー水が吐水されている状態を表す側面模式図である。
図２に表したように、シャワー水が吐水される場合、水４０はシャワー用吐水口２４から吐水される。水４０は、前述したように、シンク上面３２に対して斜め方向に吐水される。また、シャワー用吐水口２４から吐水された水４０は、シンク上面３２と、シンク前面３６とシンク後面３８との中央部と、が交差する領域（以下、「洗浄領域」という）４２を通過する。すなわち、水４０が洗浄領域４２を通過するように、適宜設定された一定流量の水が吐水される。一定流量の水を吐水させるためには、流量あるいは水圧を固定して定流量にて吐水させることができる手段７０を設けるとよい。手段７０としては、例えば定量弁や定圧弁などを設けることができる。
【００２８】
また、シャワー用吐水口２４から斜めに吐水された水４０は、洗浄領域４２を斜めに通過する。斜めに通過することにより、使用者が肘を曲げて楽に作業できる手の可動域に対して吐水が通過する領域が広がる。そのため、使用者は楽な姿勢で洗い作業することができる。さらに、楽に洗い作業を行う領域を広範囲にできるため、使用者毎の洗浄領域に対する手の挿入場所のバラツキがあった場合においても、より多くの使用者に対しても、洗浄における身体の負荷を低減することが可能となる。
【００２９】
シャワー水が吐水され、シンク上面３２を通過するときの前後方向の幅は、調理器具や手、または洗浄物を持った手に対して全面に吐水が当たるような設定が望ましい。このような設定を行うことにより、洗浄物の全面に対して吐水を一斉にかけることが可能となるため、洗浄物を移動させて全面に吐水をかける動作を低減させることが可能となる。そのため、使用者は洗浄物を差し出すだけで、前後方向へ細かく揺さぶる等の動作を低減することが可能となる。前後方向の幅は、例えば、包丁の刃の長さの平均値、まな板の短辺側の長さの平均値、成人の手の大きさなどを考慮して、一度に全体に水を吐水可能な長さ、すなわち１７０ｍｍ程度の長さを有することが望ましい。ただし、洗浄物の全長の略半分の長さに対して洗浄水を吐水し、洗浄物上を流れる流水によって残りの略半分の長さを洗い流すようにすれば、水の使用量を抑制しつつ洗浄効果を向上させることもできる。
【００３０】
また、シャワー水が吐水され、シンク上面３２を通過するときの左右方向の幅は、同様に広い方が、一度に広範囲に吐水することができ、洗い作業が効率化されるため望ましい。ただし、「簡単洗い」で最も頻繁に洗われるものとしては、使用者の手および包丁が挙げられ、身体の負荷なく、吐水に手を差し出すことを考慮すると、シンクの前後方向に対しては、洗浄物の長さは長くなるものの、左右方向の幅は、比較的短い。したがって、左右方向に幅広く吐水されると、手にかからずに直接シンク底面に着水してしまい、無駄に水を流してしまうことになるため、好ましくない。このため、左右方向の幅は、２０ｍｍ程度の長さを有することが望ましい。
【００３１】
続いて、洗浄領域４２を通過した水４０の少なくとも上方側の水４０ａは、シンク前面３６とシンク後面３８との中心３５よりもシンク前面３６側のシンク底面３４に着水する。すなわち、少なくとも上方側の水４０ａは、使用者から見て手前側のシンク底面３４に着水する。水４０がシンク底面３４に着水する時の入射角度は、水跳ねに影響を及ぼす。入射角度が垂直に近くなるほどシンク底面３４の垂直方向の運動エネルギー成分が多くなるため、水跳ねが多くなる。水跳ねを抑制するためにシンク底面３４に対し、斜めに着水するようにしている。流速が一定の場合、着水時の入射角度は、シャワー用吐水口２４から吐水する角度に比例する。シャワー用吐水口の角度と水跳ね量の関係は後述する。またシンク前面３６により近いシンク底面３４に着水すると、水跳ねが生じた場合においても、跳ねた水が高く飛び散る前に、シンク前面３６に衝突するので、使用者にかかりにくくなるという効果も見込める。したがって、シャワー用吐水口２４から吐水された水４０は、洗浄領域４２を斜めに通過した後、シンクの中心３５よりもシンク前面３６側のシンク底面３４に斜めに着水すれば、使用者にかかる水跳ねを大幅に低減できるとともに、着水による騒音も低減することができる。
【００３２】
図３は、本実施形態にかかるキッチン用水栓から整流水が吐水されている状態を表す側面模式図である。
図３に表したように、整流水が吐水される場合、水４０は整流用吐水口２２から吐水される。水４０は、前述したように、シンク上面３２に対して斜め方向に吐水される。また、整流用吐水口２２から吐水された水４０は、シャワー水の場合と同様に、洗浄領域４２を通過する。すなわち、整流水の場合においても、水４０が洗浄領域４２を通過するように、適宜設定された一定流量の水が吐水される。そのため、吐水形態に応じて使用者が適宜洗浄領域４２を変更することなく洗浄を行うことが出来、且つ楽に作業できる手の可動域にて洗浄を行うことが可能となるため、使用者の洗浄における身体の負荷を低減することが可能なる。
【００３３】
続いて、洗浄領域４２を通過した水４０は、シンク前面３６とシンク後面３８との中心よりもシンク前面３６側のシンク底面３４に着水する。すなわち、使用者から見て手前側のシンク底面３４に着水する。ここでも、上述したように、着水点を洗浄領域４２からシンク前面３６の間のシンク底面３４に対して設定するため、使用者やシンク上面３２に対する水跳ねを大幅に低減することが可能となる。
【００３４】
また、整流用吐水口２２は、シャワー用吐水口２４の上方かつ前方に配設されている。しかしながら、整流用吐水口２２は、洗浄領域４２よりも後方に配設される。このため、洗浄領域４２が水栓２０によって視界を遮られることがないため、洗浄物の洗浄状態を確認しやすくなり、洗い動作が効率化される。
【００３５】
図４は吐水口の向きを示した側面模式図である。
図４に示したように、シャワー用吐水口の向き４１ｂおよび整流用吐水口の向き４１ａは、シンク前面３６に向くようにしている。吐水口の向きとは、吐水口の孔の軸線方向の向きを意味するものであり、例えば、孔が開口面に対し垂直な場合は、開口面に対して垂直な方向を表す。また例えば、吐水口の孔が開口面に対し、ある傾きを持っている場合は、孔の軸線方向を表す。吐水口の向きをシンク前面に向けることで、吐水口から吐水された水が使用者に近い位置に着水するため、洗い動作が効率化される。また、使用者が吐水口を眺めやすくなるため、吐水の状態を確認できやすくなる他、不衛生になりやすい吐水口が確認しやすくなり、清掃を助長する効果も見込める。なお、吐水口の向きは、シンク前面を向いているが、実際に吐水された水４０は、重力の影響を受けるため、シンク前面に到達することがないよう設定されている。
【００３６】
ここで、洗浄領域４２について図面を参照しつつ説明する。
図５は、成人女性の水平作業域を例示する模式図である。
また、図６は、システムキッチンと使用者との位置関係を例示する模式図である。
本発明者は、システムキッチンを使用する頻度が多い成人女性の水平作業域を調査している。
【００３７】
図５に表した水平作業域において、実線は手を延ばして届く範囲を表しており、点線は肘を曲げて楽に作業のできる範囲を表している。これによれば、カウンターの前端６４からシンク後面３８の方向に向かって約３０ｃｍの範囲内であれば、成人女性は肘を曲げて楽に作業できることが分かる。また、カウンターの前端６４からシンク後面３８の方向に向かって約３０ｃｍの範囲外であっても、約５０ｃｍの範囲内であれば、成人女性は手を延ばして届くことが分かる。使用者の身体に負担がかからない領域に、キッチン用水栓２０から吐水された水４０を通過するよう設定することで、使用者は楽な姿勢で洗浄動作を行うことが可能となる。
【００３８】
そこで、シンク前面３６とシンク後面３８の中心を洗浄領域４２の中心を設定した（図２参照）。シンクの一般的な奥行き方向（図２の前後方向）は５００〜６００ｍｍ程度であるため、このようにすることで、キッチンの様々なシンクに対して身体の負担の少ない洗浄領域を供給することが可能となる。また、図６に表したように、図５に表した水平作業域を考慮して、洗浄領域４２の中心からシンク後面３８の方向に向かって約１０ｃｍの位置と、シンク後面３８と、の間の領域４６は、手が届きづらい領域とした。さらに、洗浄領域４２の中心からシンク前面３６の方向に向かって約１０ｃｍの位置と、シンク前面３６と、の間の領域４４は、手が曲がって窮屈になる領域とした。
【００３９】
そこで、洗浄領域４２の中心３５からシンク後面３８の方向に向かって約１０ｃｍの位置に洗浄領域４２の後端を設定し、洗浄領域４２の中心３５からシンク前面３６の方向に向かって約１０ｃｍの位置に洗浄領域４２の前端を設定した（図２参照）。すなわち、洗浄領域４２の前後方向に対する領域長さＬ１を２０ｃｍ程度に設定した。このように設定することによって、ほとんどの使用者が身体の負担なく洗浄動作を行うことが可能となる。
【００４０】
また、洗浄領域４２の左右方向に対する領域長さＬ３に関して記載する（図２１参照）。前述したように、体格差、手の稼動域を考慮すると、領域長さＬ３は、洗浄領域４２の中心から、左右１００ｍｍ程度より小さければ、ほとんどの使用者が身体の負荷なく洗い作業を行えることから、領域長さＬ３は２００ｍｍ程度が望ましい。
【００４１】
また、洗浄領域４２の上下方向に対する領域長さＬ２について示す。本実施形態においては、シンク上面３２に対して斜め方向に吐水されているため、シンク３０の前後方向に対して手の挿入場所が異なると、上下方向に対しても挿入場所が異なってしまう。ここで、使用者は洗浄物が大きなものに対してはシンク底面３４と洗浄物との接触を逃れるため、シンク３０の上下方向に対して上方向に洗浄領域を移動させる。一方、水跳ねを気にする使用者はシンク外への水の飛び散りを低減させるために、洗浄領域をシンクの下側に移動させる。洗浄領域４２の、上下方向の中心を、シンク上面とし、上下方向に７５ｍｍずつ（全高１５０ｍｍ）の領域を設定することで、水跳ねの低減、洗浄物のシンク底面への接触の回避、を満たしながら、身体の負担の少ない姿勢で洗い動作を行わせることができる。
【００４２】
次に、洗浄領域４２のシンク左側面３７に対しての距離について示す。「簡単洗い」は調理中に行う洗い動作であることから、「簡単洗い」を行う前には、使用者は調理台の正面に立っていることが多い。したがって調理台の正面に立ちながら、「簡単洗い」を行うことができれば、移動の動作がなくなり、洗い動作を効率化できる。身体の負荷なく吐水された水に手が届くためには、洗浄領域４２は、シンク左側側面３７に対し、できるだけ近づけた方がよい。一方、大きな洗浄物をシンクの中でスムーズに洗うためには、洗浄領域４２は、シンク左側側面３７から、離した方がよい。大きな洗浄物で、左右方向に大きなものとして、例えばまな板があるが、洗浄領域の中心から、シンク左側面までの距離Ｌ５（図２１参照）が、約２００ｍｍ程度確保すれば、４００ｍｍ程度の幅を有するまな板であっても、スムーズに洗うことができ、また調理台の正面に立ったまま、身体の負荷なく吐水に手を伸ばすことができることから、シンク左側側面までの距離Ｌ５は、約２００ｍｍ程度が望ましい。なお、調理台がシンクに対して、右側に配設されている場合においては、シンク右側側面３９に対して、洗浄領域４２を約２００ｍｍ程度とすればよい。
【００４３】
図７は、本実施形態にかかるキッチン用水栓の、所定寸法よりも上方部、すなわちシンク上面３２に対し、傾斜して設置された部分を表す模式図であり、図７（ａ）は、キッチン用水栓の上方部を正面から眺めた正面模式図であり、図７（ｂ）は、キッチン用水栓上方部のＡ−Ａ断面を表す断面模式図であり、図７（ｃ）は、キッチン用水栓上方部のＢ−Ｂ断面を表す断面模式図である。
【００４４】
キッチン用水栓２０は、上方部に整流用吐水口２２と、整流用吐水口２２の下方部にシャワー用吐水口２４と、を有している。また、キッチン用水栓２０は、整流用吐水口２２へ水４０を導くための整流用配水管２３と、シャワー用吐水口２４へ水４０を導くためのシャワー用配水管２５と、をさらに有している。
【００４５】
整流用配水管２３は、キッチン用水栓２０の左側方寄りを通って、整流用吐水口２２の左側方かつ下方部に接続されている。一方、シャワー用配水管２５は、キッチン用水栓２０の右側方寄りを通って、シャワー用吐水口２４の下端に接続されている。
キッチン用水栓２０の左右方向の幅は、洗浄物の大きさに応じた設定が望ましい。例えば、洗浄する対象は一般的に手、包丁や鍋等の調理器具、食材等であるが、左右方向を幅広く設定すると、小さなものを洗う際に余分な水を使用してしまう。一方、左右方向を幅狭く設定すると、大きなものを洗浄するために手を動かして洗浄を行う必要がある。そこで、本実施形態においては、簡単洗いにおいて、手や包丁等を簡単に洗うことに対して左右方向の幅を設定することで、簡単洗いでは洗浄物を差し出すだけで洗浄可能な状態とした。例えば約４０ｍｍ程度とすることで、手や包丁の刃の部分を左右方向に手を移動させること無く洗浄することが可能となる。但し、これらの寸法はこれだけに限られるわけではなく、適宜変更することができる。
【００４６】
図８は、シャワー吐水用の散水板を例示する模式図であり、図８（ａ）は、散水板を正面から眺めた正面模式図であり、図８（ｂ）は、散水孔群を例示する模式図である。
図８に表した散水板２６は、キッチン用水栓２０のシャワー用吐水口２４に固定される。散水板２６は、散水孔群２７を有し、この散水孔群２７は、水４０をシャワー水として吐水するための散水孔２７ａを有する。散水孔群２７は、例えば５行×２列で配列されている。また、散水孔２７ａは、例えば同心円状に２列で配列されており、合計約３０個程度の散水孔２７ａが設けられている。水４０は、それぞれの散水孔２７ａから吐出され、シャワー水としてシンク底面３４に着水する。
【００４７】
次に、本発明者が行った事前検討について図面を参照しつつ説明する。
図９は、斜め吐水による洗浄効果の検討条件を表す模式図である。
本発明者は、斜めに吐水した場合の洗浄効果について、事前検討を行っている。まず、成人女性の平均的な掌と同じ程度の大きさの板１００を、固定棒１０２の略先端に固定した試料を用意する。固定棒１０２に固定された側とは反対側の板１００の表面には、包丁などに付着した汚れを想定して、疑似汚物が塗布されている。
【００４８】
続いて、疑似汚物が塗布された板１００の表面を上方に向けて、板１００および固定棒１０２と、シンク上面３２およびシンク底面３４と、のなす角度Ｌ１４が、約１５〜４５度程度となるように傾けた状態で固定棒１０２を固定する。これは、使用者の肩の位置よりも、キッチン用水栓２０の位置の方が下方に存在するため、使用者が包丁などの洗いものをキッチン用水栓２０に向けて差し出したときには、その洗いものは、シンク上面３２およびシンク底面３４に対して傾斜した状態となるためである。なお、本発明者の調査によれば、身長１６２±２ｃｍの被験者６人がキッチン用水栓２０に差し出した例えば包丁などの角度の平均値は、シンク上面３２に対して約３２度程度であることが分かっている。
【００４９】
また、固定棒１０２は、板１００の上下方向の位置がシンク上面３２と略同じ高さとなるように固定されている。続いて、板１００の中心１００ａに向けて吐水を行う。このとき、吐水口における吐水方向が、シンク上面３２およびシンク底面３４に対して、約９０度程度と、約４５度程度と、の２つ傾斜角度を持たせた状態で、それぞれ吐水を行う。また、吐水される水の流量は、２つの傾斜角度のそれぞれにおいて、約５．０Ｌ／ｍｉｎ程度と、約３．０Ｌ／ｍｉｎ程度と、に設定されている。すなわち、２つの傾斜角度と、２つの吐水流量と、からなる４つの組み合わせの条件において、洗浄効果の検討を行う。
【００５０】
また、整流水の場合と、シャワー水の場合と、のそれぞれの場合において、前述の４つの組み合わせの検討を行う。評価方法は、板１００の表面に塗布された疑似汚物の落ち具合を目視により判断する方法である。
【００５１】
図１０は、整流水における洗浄効果の検討結果を表す模式図である。
また、図１１は、シャワー水における洗浄効果の検討結果を表す模式図である。
図１０に表した整流水の場合の検討結果のように、吐水流量が約５．０Ｌ／ｍｉｎ程度の場合には、吐水の傾斜角度が約４５度程度のときと、約９０度程度のときと、において、略全体の疑似汚物１０４を洗浄することができた。但し、略全体の疑似汚物１０４を洗浄することができるまでの時間については、傾斜角度が約４５度程度のときには約３秒程度であるのに対して、約９０度程度のときには約９秒程度となり、シンク上面３２およびシンク底面３４に対して斜めに吐水する方が、洗浄効果の良いことが分かった。
【００５２】
一方、吐水流量が約３．０Ｌ／ｍｉｎ程度の場合には、吐水の傾斜角度が約４５度程度のときには略全体の疑似汚物１０４を洗浄することができたが、吐水の傾斜角度が約９０度程度のときには略全体の疑似汚物１０４を洗浄することができなかった。したがって、吐水流量が少ない場合にも、吐水流量が多い場合と同様に、シンク上面３２およびシンク底面３４に対して斜めに吐水する方が、洗浄効果の良いことが分かった。
【００５３】
また、傾斜角度が約４５度程度である場合には、吐水流量が約３．０Ｌ／ｍｉｎ程度という少量の吐水であっても、略全体の疑似汚物１０４を洗浄することができている。但し、吐水流量が多い方が、略全体の疑似汚物１０４を洗浄することができるまでの時間が短く、より洗浄効果の良いことが分かった。
【００５４】
図１１に表したシャワー水の場合の検討結果のように、吐水流量が約５．０Ｌ／ｍｉｎ程度の場合には、吐水の傾斜角度が約４５度程度のときには略全体の疑似汚物１０４を洗浄することができたが、吐水の傾斜角度が約９０度程度のときには略全体の疑似汚物１０４を洗浄することができなかった。一方、吐水流量が約３．０Ｌ／ｍｉｎ程度の場合においても、吐水の傾斜角度が約４５度程度のときには略全体の疑似汚物１０４を洗浄することができたが、吐水の傾斜角度が約９０度程度のときには略全体の疑似汚物１０４を洗浄することができなかった。したがって、シャワー水の場合にも、整流水の場合と同様に、シンク上面３２およびシンク底面３４に対して斜めに吐水する方が、洗浄効果の良いことが分かった。
【００５５】
また、略全体の疑似汚物１０４を洗浄することができるまでの時間については、吐水流量が約５．０Ｌ／ｍｉｎ程度のときには約９秒であるのに対して、吐水流量が約３．０Ｌ／ｍｉｎ程度のときには約２０秒となり、吐水流量の多い方がより洗浄効果の良いことが分かった。
【００５６】
さらに、傾斜角度が約４５度程度であり、且つ吐水流量が約５．０Ｌ／ｍｉｎである場合において、整流水のときと、シャワー水のときと、の略全体の疑似汚物１０４を洗浄することができるまでの時間を比較すると、それぞれ約３秒程度と、約９秒程度と、であるため、整流水の方がより洗浄効果の良いことが分かった。
【００５７】
図１２は、斜め吐水による洗浄効果を説明するための模式図であり、図１２（ａ）は、洗浄物に対して斜めに吐水した場合を表した模式図であり、図１２（ｂ）は、洗浄物に対して垂直に吐水した場合を表した模式図である。
図１２（ａ）に表したように、洗浄物１００に対して水４０を斜めに吐水させた場合には、水４０が洗浄物１００に着水したときに、洗浄物１００と水４０との衝突面が広くなるため、水４０は洗浄物１００の表面の広い範囲に広がる。
【００５８】
これに対して、図１２（ｂ）に表したように、洗浄物１００に対して水４０を垂直に吐水させた場合には、洗浄物１００と水４０との衝突面は、斜めに吐水させた場合よりも広くなることはなく、水４０は洗浄物１００の表面のより狭い範囲にしか広がらない。
【００５９】
したがって、洗浄物１００に対して水４０を斜めに吐水させた場合の方が、より広い範囲の汚れ１０４を洗浄することができる。これにより、斜めからの吐水は、洗浄時間を短縮できるという効果と、少量の吐水流量でも洗浄ができるという効果と、を有することになる。すなわち、洗浄効果を向上させることができるため、使用者は洗い動作中の手の動作量を低減させることができる。
【００６０】
図１３は、整流水による洗浄効果を説明するための模式図であり、図１３（ａ）は、整流水を正面から眺めた模式図であり、図１３（ｂ）は、整流水を上面から眺めた模式図である。
また、図１４は、シャワー水による洗浄効果を説明するための模式図であり、図１４（ａ）は、シャワー水を正面から眺めた模式図であり、図１４（ｂ）は、シャワー水を上面から眺めた模式図である。
なお、図１３および図１４は、洗浄物１００に対して水４０を垂直に吐水させた場合を例示している。
【００６１】
整流水は一粒あたり流量が多いため、水４０の粒が洗浄物１００に衝突したときの力は、より大きい。そのため、図１２（ｂ）に表したように、整流水の粒は洗浄物１００および汚れ１０４の広い範囲に広がる。したがって、整流水の汚れ１０４への衝突力と、広範囲への広がり方と、によって汚れ１０４を流し落とす力は、より大きいと考えられる。
【００６２】
一方、シャワー水は一粒あたりの流量が、整流水と比較すると少ないため、水４０の粒が洗浄物１００に衝突したときの力は、より小さい。また、一粒一粒の間に間隔があり、また、一粒一粒がそれぞれ広い範囲に広がろうとしても、互いの粒同士が干渉するため、整流水と比較すると、より狭い範囲にしか広がらない。したがって、シャワー水の汚れ１０４への衝突力と、広がり方と、を考慮すると、汚れ１０４を流し落とす力は、整流水の方がより大きいと考えられる。これらのことにより、整流水と、シャワー水と、を比較すると、整流水の方が、より洗浄効果が良いと考えられる。
【００６３】
図１５は、洗浄物の傾斜による洗浄効果の影響を説明するための模式図であり、図１５（ａ）は、シンク上面に対して斜めに吐水する場合の模式図であり、図１５（ｂ）は、シンク上面に対して垂直に吐水する場合の模式図である。
【００６４】
図１５（ａ）に表したように、シンク上面３２に対して斜めに吐水させた水が傾斜した洗浄物１００に衝突すると、領域１１０にある水４０は、重力に逆らって洗浄物１００および汚れ１０４の上方へ上がろうとする。これは、洗浄物１００および汚れ１０４の上方に向かう慣性力が、水４０に働いているためである。
【００６５】
一方、図１５（ｂ）に表したように、シンク上面３２に対して垂直に吐水させた水が傾斜した洗浄物１００に衝突すると、領域１１２にある水４０は、重力に逆らって洗浄物１００および汚れ１０４の上方へ上がろうとするが、シンク上面３２に対して斜めに吐水させた場合と比較すると、上方へ上がる水４０の流量は少ない。これは、水４０に働く慣性力を考慮すると、洗浄物１００および汚れ１０４の上方に向かう慣性力よりも、下方に向かう慣性力の方が大きいためである。
【００６６】
これらのことにより、洗浄物１００が傾斜している場合には、水４０が洗浄物１００および汚れ１０４の広い範囲に広がるため、より洗浄効果が良くなると考えられる。したがって、使用者の肩の高さとキッチン用水栓２０の高さとを考慮すると、使用者が洗い動作を行う場合には、洗浄物は傾斜していることが多いため、実使用上の状況を考慮すると、シンク上面３２およびシンク底面３４に対して斜めに吐水する方が、より洗浄効果が良くなると考えられる。
なお、図１０および１１に表した検討結果において、板１００の上方側に疑似汚物１０４が残った原因は、図１５を参照しつつ説明したメカニズムによるものと考えられる。
【００６７】
図１６は、斜め吐水による水跳ねの検討の条件を表す模式図であり、図１６（ａ）は、包丁角度と水栓角度とを説明する模式図であり、図１６（ｂ）は、評価方法を説明する模式図である。
本発明者は、斜め吐水にした場合の「水跳ね」について、事前検討を行っている。まず、包丁１２０の柄の部分に板１２２を固定した試料を用意する。板１２２の大きさは、例えば約２０ｃｍ四方程度である。続いて、包丁１２０に固定された側とは反対側の板１２２の表面が上面となるように、包丁１２０および板１２２を固定する。このとき、包丁１２０の刃の長手方向の中心が、前述した洗浄領域４２の略中心と一致するように固定する。
【００６８】
シンク上面３２と、包丁１２０の柄および板１２２と、のなす角度を包丁角度Ｌ１５とする。また、シンク上面３２と、キッチン用水栓２０の整流用吐水口２２およびシャワー用吐水口２４を有する部分と、のなす角度を水栓角度Ｌ１６とする。本検討においては、この水栓角度Ｌ１６を、約６０度程度、約５５度程度、約５０度程度、または約４５度程度に適宜設定する。また、包丁角度Ｌ１５を、約１５度程度に固定する。
【００６９】
本検討に使用する水はシャワー水であり、使用する散水板２６は、散水孔２７ａの直径が約０．３ｍｍ程度であり、散水孔群２７の有する散水孔２７ａの個数が４５個のものである。また、吐水時間は約１５０秒程度とする。さらに、吐水流量を約３．９Ｌ／ｍｉｎ程度の一定流量とする。これらの条件のもと、図１６（ｂ）に表したように、水４０が包丁１２０に当たって跳ね返り、包丁１２０の柄に固定された板１２２の表面に飛散した水滴量（ｇ）を「水跳ね量（ｇ）」として評価を行う。
【００７０】
図１７は、斜め吐水による水跳ねの検討の結果を例示する表である。
図１７に表した検討結果のように、水栓角度Ｌ１６が大きいほど、水跳ね量が少ないことが分かった。つまり、板１２２に対して垂直方向の運動エネルギーが大きい条件ほど、水跳ね量が多くなっており、水４０が当たっている部分（包丁１２０の刃の部分）に水膜が形成されない限り、力学的条件で一義的に水跳ね量が決まると考えられる。なお、水４０が当たっている部分に水膜が形成されると、水跳ね量は変化することが分かった。
【００７１】
図１８は、斜め吐水による水跳ねの他の検討の条件を表す模式図であり、図１８（ａ）は、上面から眺めた模式図であり、図１８（ｂ）は、右側方から眺めた模式図である。
本発明者は、斜め吐水にした場合の「水跳ね」について、他の事前検討を行っている。まず、図１６を参照しつつ説明した検討と同様の試料を用意する。続いて、包丁１２０に固定された側とは反対側の板１２２の表面が上面となるように、包丁１２０および板１２２を固定する。
【００７２】
このとき、カウンターの前端６４と、包丁１２０の刃の長手方向の中心と、の距離Ｌ１７が、約３２ｃｍ程度、約３５ｃｍ程度、約３９ｃｍ程度、または約４３ｃｍ程度となるように試料をそれぞれ固定する。
【００７３】
また、包丁１２０の上下方向の固定位置については、包丁１２０の刃の長手方向の中心と、シンク上面３２と、の距離Ｌ１８が、約０ｃｍ程度、または約５ｃｍ程度となるように試料をそれぞれ固定する。なお、本検討において、包丁角度Ｌ１５と、水栓角度Ｌ１６と、の定義は、図１６を参照しつつ説明した包丁角度Ｌ１５と、水栓角度Ｌ１６と、の定義と同様とする。
【００７４】
このとき、包丁角度Ｌ１５が、約０度程度、約１４度程度、約２７度程度、または約２８度程度となるように試料をそれぞれ固定する。一方、吐水口角度Ｌ１６は、約４５度程度となるように設定されている。なお、評価方法は、図１５を参照しつつ説明した評価方法と同様に、板１２２の表面に飛散した水滴量（ｇ）を「水跳ね量（ｇ）」として評価を行う方法である。
【００７５】
図１９は、斜め吐水による水跳ねの他の検討の結果を例示する表である。
図２０に表した検討結果のように、包丁角度Ｌ１５が大きいほど、水跳ね量が少ない傾向にあることが分かった。これは、包丁角度Ｌ１５が大きいほど、包丁１２０に当たった水４０は、シンク後面３８の方向へ跳ね返るためであると考えられる。したがって、前述したように、使用者が洗い動作を行う場合には、洗浄物は傾斜していることが多いため、洗浄効果だけではなく「水跳ね」の観点においても、シンク上面３２およびシンク底面３４に対して斜めに吐水する方がより好ましい。
【００７６】
また、包丁１２０の高さが高い方が、水跳ね量が少ない傾向にあることが分かった。これは、包丁１２０の高さが高い方が、包丁１２０に衝突する水４０の粒の速さがより遅い、すなわち運動エネルギーがより小さいためであると考えられる。したがって、キッチン用水栓２０から吐水された水４０は、シンク上面３２と略同じ高さ、あるいはそれ以上の高さを通過することが好ましい。すなわち、垂直作業域だけではなく「水跳ね」の観点においても、キッチン用水栓２０から吐水された水４０が洗浄領域４２を通過するように、一定流量が適宜設定されることが好ましい。しかしながら、吐水された水４０がシンク上面３２と略同じ高さ、あるいはそれ以上の高さを通過するとしても、好ましくない場合がある。その比較例について、以下図面を参照しつつ説明する。
【００７７】
図２０は、比較例にかかるシステムキッチンを例示する模式図であり、図２０（ａ）は、吐水口の向きを表す模式図であり、図２０（ｂ）は、シャワー用吐水口から吐水される様子を表す模式図である。
図２０（ａ）に表したように、整流用吐水口の向き４１ａおよびシャワー用吐水口の向き４１ｂはシンク前面より上方を向いている。このように、吐水口の向きをシンク外に向け、吐水させると、図２０（ｂ）に表したように、水４０ａはシンク前面３６に着水するようになり、前述した洗浄領域を通過できなくなる。吐水が使用者にとって、洗浄領域より手前側に来るので、手を伸ばそうとしても窮屈になってしまい、洗い作業の効率が低下する。また、流速の速い吐水を行った場合、シンクの外に水４０が直接飛び出るおそれがあるため、好ましくない。
【００７８】
したがって、吐水口の向きは、前述したように、シンク前面に向けることが好ましい。このようにすることで、洗浄領域４２を通過させ、吐水させることが可能となる。
【００７９】
図２１は、本実施形態にかかる洗浄領域を上面から眺めた模式図である。
本実施形態にかかるシステムキッチン１０は、図１を参照しつつ説明したように、キッチン用水栓２０と、シンク３０と、を備えている。また、キッチン用水栓２０は、使用者から見てシンク３０の奥側、すなわちシステムキッチン１０の後方、且つカウンター上面６２に設けられている。キッチン用水栓２０よりシンク前面３６側に洗浄領域４２が設定されており、この洗浄領域４２を水４０が通過するように、適宜設定された一定流量の水が吐水される。
【００８０】
システムキッチン１０を上方から眺めた場合の洗浄領域４２は、左右方向の寸法Ｌ３が、前述した通り、例えば約２０ｃｍ程度である。なお、前後方向の寸法Ｌ１は、前述した通り、例えば約２０ｃｍ程度である。このように、システムキッチン１０を上方から眺めた場合、洗浄領域４２は正方形をしている。吐水された水４０が、この洗浄領域を通過すると、シンクの前に立って、吐水に手を挿入した場合だけでなく、調理台の前に立って、吐水に手を挿入した場合においても、届きやすくなり、洗い動作を効率化することができる。また、吐水された水４０がシステムキッチン１０の前後方向を長手方向とした形状を有すると、水４０が洗浄物に広くかかるため、手や包丁などを洗いやすくなる。これは、掌や包丁などは長手方向を有する形状をしており、これらを洗うときには、その長手方向をシステムキッチン１０の前後方向に差し出して洗うことが多いためである。なお、整流水よりもシャワー水の方が洗浄物に広くかかるため、この効果はシャワー水の方がより大きい。
【００８１】
したがって、吐水された水４０が、シンク上面３２およびシンク底面３４に対して斜めに吐水されることによって洗浄できる範囲が広くなるため、洗浄効果が向上する。すなわち、洗い動作中における使用者の手の動作量を低減させることができる。
【００８２】
以上説明したように、本実施形態によれば、キッチン用水栓２０から吐水された水４０は、シンク上面３２およびシンク底面３４に対して斜めに吐水され、洗浄領域４２を通過するように、適宜設定された一定流量の水が吐水される。これにより洗浄効果が向上して、洗い動作中の手の動作量を低減させることができる。また、水跳ねを低減させることができる。さらに、シャワー水がシンク上面３２を通過するときの吐水の面積は、システムキッチン１０の前後方向を長手方向とする形状を有するため、洗浄できる範囲が広くなり、洗浄効果が向上する。
【００８３】
次に、本実施形態の変形例について図面を参照しつつ説明する。
図２２は、シャワー吐水用の散水板の変形例にかかる散水板を例示する模式図である。
また、図２３は、本変形例の散水板を使用したシステムキッチンを表す模式図である。
【００８４】
図２２に表した散水板は２６ａ、図８に表した散水板２６における散水孔２７ａに置き換えて、散水スリット２８が設けられている。散水スリット２８は、散水板２６ａの左右方向と、上下方向と、の幅の略中心に設けられている。また、散水スリット２８の左右方向の幅寸法Ｌ２０は、例えば約１ｍｍ程度であり、上下方向の幅寸法Ｌ２１は、例えば約６０ｍｍ程度である。但し、これらの寸法はこれだけに限られるわけではなく、適宜変更することができる。また、散水スリット２８は複数設けられていてもよく、例えば、前述した寸法と同程度の散水スリット２８が左右方向に２つ並列して設けられていてもよい。このような構成にすることにより、洗浄における手の動作をシンク３０の左右方向に行うだけで、洗浄物の全体に吐水を行うことが出来るため、通常の吐水形態よりも少ない動きで洗浄を行うことが可能となる。
【００８５】
図２３に表したシステムキッチン１０のキッチン用水栓２０には、図２２に表した散水板２６ａが取り付けられている。なお、その他の構造は図１および２に表したシステムキッチン１０と同様であるため、その詳細な説明は省略する。
図２３に表したシステムキッチン１０は、散水スリット２８を有する散水板２６ａが備えられているため、幕状水を吐水することができる。キッチン用水栓２０の構造は、図１および２に表したキッチン用水栓２０と同様の構造を有するため、幕状の水４０は、シンク底面３４に対して斜めに吐水される。さらに、水４０が洗浄領域４２を通過するように、適宜設定された一定流量の水が吐水される。
【００８６】
続いて、洗浄領域４２を通過した水４０の少なくとも上方側の水４０ａは、シンク前面３６とシンク後面３８との中心よりもシンク前面３６側のシンク底面３４に着水する。すなわち、少なくとも上方側の水４０ａは、使用者から見て手前側のシンク底面３４に着水する。
【００８７】
本変形例によれば、幕状水が吐水されるため、水４０が洗浄物に衝突したときの力は大きく、整流水と同様の洗浄効果を期待することができる。また、吐水された水４０はシステムキッチン１０の前後方向を長手方向とした偏平形状を有し、シンク上面３２およびシンク底面３４に対して斜めに吐水されるため、図２１を参照しつつ説明したシャワー水と同様の洗浄効果を期待することもできる。つまり、整流水とシャワー水との洗浄効果を併せ持った効果を得ることができる。
【００８８】
図２４は、本発明の実施の形態にかかるキッチン用水栓からシャワー水が吐水されている状態を表す側面模式図である。
本実施形態にかかるキッチン用水栓２０は、整流用吐水口２２と、散水板２６が設けられたシャワー用吐水口２４を備えている。
【００８９】
キッチン用水栓２０は、略水平面に取付けるための接続部１２を介し、給水機構と接続されており、接続部１２の上方には、取付面から鉛直方向に立上がる立位部１３を備え、吐水部１５は、屈曲部１４を介して傾斜して、斜め上方に立上がっており、シャワー用吐水口２４は、傾斜した面側に配置されている。したがって、シャワー水が吐水される場合、水はシャワー用吐水口２４より斜め下方に向けて、吐水される。
【００９０】
図２４に示したように、キッチン用水栓２０は、シャワー用吐水口２４の向きの延長線上と、取付面を含む水平面３２と、が交差する交差点５１と、シャワー用吐水口２４が取付面を含む水平面３２上に投影された投影点５２と、を結ぶ長さＬ５１が、シャワー用吐水口２４と、立位部１３が取り付けられた取付面上の立位部取付位置５３の水平成分距離Ｌ４１より長くなるように設定されており、そしてシャワー用吐水口２４と、立位部取付位置５３の垂直成分距離Ｌ３１は、水平成分距離Ｌ４１よりも長く設定されている。なお、このような設定を行うことで、より吐水口から離れた領域まで吐水することが可能となり、例えば、本発明のキッチン用水栓を、使用者と対峙する場所に設置することで、使用者に対してシャワー水が向かってくるため、使用者は吐水口まで手を近づけなくとも、洗い作業を行うことが可能となる。そして、吐水部は斜め上方に向かって立上がっているため、シャワー用吐水口２４から吐水され、着水するまでの水を吐水部１５に遮られることなく視認することが可能となるため、洗浄物を洗う際には、頭を動かすことなく、眼球運動のみによって容易に洗浄物の、洗浄されている状態を確認することができる。
【００９１】
さらにキッチン用水栓２０の吐水部１５の長さＬ４０が、立位部１３の長さＬ５０よりも長く設定されている。このような設定を行うことで、シャワー用吐水口２４から吐水され、着水されるまでの水が人の有効視野範囲に収まることになり、視認性が高まるため、視線の誘導により洗い作業が効率化される。
【００９２】
図２５は、本発明の実施形態にかかるキッチン用水栓から整流水が吐水されている状態を表す側面模式図である。
図２５に表したように、整流用吐水口２２は傾斜した面側に配置されている。したがって整流水が吐水される場合、シャワー水同様に、水は整流用吐水口２２より斜め下方に向けて吐水される。
【００９３】
図２５に表したように、キッチン用水栓２０は、整流用吐水口２２の向きの延長線上と、取付面を含む水平面３２と、が交差する交差点５４と、整流用吐水口２２が取付面を含む水平面３２上に投影された投影点５５と、を結ぶ長さＬ５２が、整流用吐水口２２と、立位部１３が取り付けられた取付面上の立位部取付位置５３の水平成分距離Ｌ４２より長くなるように設定されており、そして整流用吐水口２２と、立位部取付位置５３の垂直成分距離Ｌ３２は、水平成分距離Ｌ４２よりも長く設定されている。このような設定を行うことで、整流水が吐水された場合においても、より吐水口から離れた領域まで吐水することが可能となり、例えば、本発明のキッチン用水栓を、使用者と対峙する場所に設置することで、使用者に対して整流水が向かってくるため、使用者は吐水口まで手を近づけなくとも、洗い作業を行うことが可能となる。そして、吐水部１５は斜め上方に向かって立上がっているため、整流用吐水口２２から吐水され、着水するまでの水を吐水部１５に遮られることなく視認することが可能となるため、洗浄物を洗う際には、洗浄物の洗浄されている状態を、容易に確認することができる。
【００９４】
図２６は、本発明の実施形態にかかるキッチン用水栓を例示する模式図であり、図２６（ａ）は、キッチン用水栓を正面から眺めた正面模式図であり、図２６（ｂ）は、キッチン用水栓を側面から眺めた側面模式図である。
図２６に表したキッチン用水栓２０は、取付面から鉛直方向に立上がる立位部１３の途中に水平方向に分岐された筒状配管が接続され、その先端に操作部１６が配置されている。操作部１６は、吐止水および温度、流量を調整するためのレバーと、レバーの操作と連動する可動弁体および固定弁体をケーシング内に収納したカートリッジを備えたシングルレバー構造を有している。このように操作部を配置することで、例えば、吐水を行う場合、操作部と、吐水される水が同一方向にあることから、操作部を注視すると同時に、吐水される水も有効視野範囲内に収めることができるため、スムーズに洗浄動作に移ることが可能となる。一方、止水を行う場合においても、洗浄物や吐水を注視すると同時に、操作部を有効視野範囲内に収めることができるため、操作部の場所を迷うことなく、スムーズに止水操作を行うことが可能となる。
また、操作部が水平方向に分岐された場所に配置されているため、濡れた手で吐止水や温調、流調の操作を行った場合においても、濡れた手を介した水栓本体への水伝いを最小限に抑えることが可能となり、水栓本体の清潔性を保つこともできるようになる。
【００９５】
図２７は、本発明の実施形態にかかるシステムキッチンを表す模式図である。
図２７に示したシステムキッチン１０は、キッチン用水栓２０と、シンク３０と、を備えている。キッチン用水栓２０は、整流用吐水口２２と、シャワー用吐水口２４と、を有している。シンク３０は、シンク上面３２と、シンク底面３４と、を有しており、シンク上面３２は、キッチン用水栓の取付面と一致している。なお、シンク３０は、シンク上面３２の左側方および右側方の少なくともいずれかに延在する調理台（図示せず）を有していてもよい。
【００９６】
キッチン用水栓２０は、使用者から見てシンク３０の奥側、すなわちシステムキッチン１０の後方、かつカウンター上面６２に設けられている。キッチン用水栓２０の吐水部１５は、シンク上面３２に対して傾斜しており、整流用吐水口２２と、シャワー用吐水口２４は、シンクに吐水流を放出するように、吐水部１５の傾斜した面側に配置されている。このように配置させることで、整流用吐水口２２またはシャワー用吐水口２４より吐水された水は、使用者に向かってより近づく方向に、斜めに放出されるため、身体の負担のない姿勢で、吐水に手を伸ばすことが可能になり、楽な姿勢で洗浄動作を行わせることができる。また、吐水部１５に視界を遮られることがないため、洗浄物の視認性が高まり、洗い作業が効率化される。
【００９７】
図２８は、本発明の実施形態にかかるシステムキッチンを表す側面模式図である。
図２８に示したキッチン用水栓２０は、シャワー用吐水口２４の向きの延長線上と、取付面を含む水平面３２と、が交差する交差点５１と、シャワー用吐水口２４が取付面を含む水平面３２上に投影された投影点５２と、を結ぶ長さＬ５１が、シャワー用吐水口２４と、立位部１３が取り付けられた取付面上の立位部取付位置５３の水平成分距離Ｌ４１より長くなるように設定されており、そしてシャワー用吐水口２４と、立位部取付位置５３の垂直成分距離Ｌ３１は、水平成分距離Ｌ４１よりも長く設定されている。
このように設定することで、使用者はシンク３０内およびその上方の領域４７を広く使用できる。すなわち、例えばフライパンや大きな両手鍋などを洗う場合においても、キッチン用水栓２０に接触することなく、フライパンや両手鍋を取り回すことが可能となる。さらに、吐水部１５によって、領域４７の視界を遮られることもなく、洗い作業を行う領域全てを有効視野範囲に納めることができる。したがって使用者は調理器具や、食材、手などの洗浄物の、洗浄状態を容易に、視認することができるようになり、洗浄作業を効率よく行うことが可能となる。
【００９８】
さらにキッチン用水栓２０の吐水部１５の長さＬ４０が、立位部１３の長さＬ５０よりも長く設定されている。このような設定を行うことで、シャワー用吐水口２４から吐水され、着水するまでの水が人の有効視野範囲に収まることとなり、視認性が高まるため、視線の誘導により洗い作業が効率化される。
また、立位部１３の長さＬ５０を短く設定することで、キッチン用水栓２０の上方の領域４８も広くなる。したがって、例えば領域４８を収納空間として利用すれば、広い収納空間を確保することが可能となる。
【００９９】
図２９は、本発明の実施形態にかかるシャワー用吐水口に設けられた散水板の変形例について示した模式図であり、図２９（ａ）は、散水板を正面から眺めた正面模式図であり、図２９（ｂ）は、Ａ−Ａ断面を表す断面模式図である。
図２９（ａ）に示したように、散水板２６ｅに穿設された複数の散水孔２７ｅは、散水板２６ｅが傾斜した方向（図２９（ａ）では上下方向）が長手方向となるように、縦長状に配置されている。また、図２９（ｂ）に示したように、散水孔２７ｅは、散水孔２６ｅが傾斜した方向（図２９（ｂ）では上下方向）に広く吐水がかかるように、所定の点を中心に外側に向けて広げて穿設されている。このようにすることで散水板２６ｅの寸法を小さくしながらも、広い範囲にシャワー水を吐水させることが可能となるため、洗浄時間の短縮や、使用者の洗い動作を低減するといった作業効率を向上させることが可能となる。
【０１００】
以上説明したように、本発明の実施形態によれば、キッチン用水栓２０は、整流用吐水口および／またはシャワー用吐水口の向きの延長線上と、前記取付面を含む水平面と、が交差する交差点と、前記吐水口が前記取付面を含む水平面上に投影された投影点と、を結ぶ長さが、前記吐水口と、前記立位部が取り付けられた前記取付面上の立位部取付位置の水平成分距離よりも長くなるようにし、且つ前記吐水口と、前記立位部取付位置の垂直成分距離が水平成分距離よりも同じか、若しくは長くなるように、前記立位部よりも前記吐水部の長さが長くなるよう構成されている。これにより洗い動作中の手や体の動作量を低減させることができるとともに、目線の移動量をも低減できるため、調理中に行われる簡単で短時間の「すすぎ洗い」作業や、食器や調理器具を片付ける際の「片付け洗い」作業を効率化することが可能となる。
【０１０１】
図３０は、比較例にかかるキッチン用水栓を表す側面模式図である。
図３０（ａ）に示したキッチン用水栓２０は、シャワー用吐水口２４の向きの延長線上と、取付面を含む水平面３２と、が交差する交差点５１と、シャワー用吐水口２４が取付面を含む水平面３２上に投影された投影点５２と、を結ぶ長さＬ５１ａが、シャワー用吐水口２４と、立位部１３が取り付けられた取付面上の立位部取付位置５３の水平成分距離Ｌ４１ａより短くなっており、シャワー用吐水口２４と、立位部取付位置５３の垂直成分距離Ｌ３１ａが、水平成分距離Ｌ４１ａより同じか、若しくは長く設定されている。そしてキッチン用水栓２０の吐水部１５の長さＬ４０ａが、立位部１３の長さＬ５０ａよりも長く設定されている。これは、図２４に表したように、長さＬ５１が、長さＬ４１より長く設定された場合に比べ、水平方向に対する吐水部の傾斜角度が小さくなっている。したがって吐水部１５が邪魔となって、吐水された水や洗浄物が視界から遮られるため、視界を確保するための頭部運動を誘発したり、また作業時間が増加するといった使用者の作業効率が著しく低下する。
【０１０２】
図３０（ｂ）に示したキッチン用水栓２０は、シャワー用吐水口２４の向きの延長線上と、取付面を含む水平面３２と、が交差する交差点５１と、シャワー用吐水口２４が取付面を含む水平面３２上に投影された投影点５２と、を結ぶ長さＬ５１ｂが、シャワー用吐水口２４と、立位部１３が取り付けられた取付面上の立位部取付位置５３の水平成分距離Ｌ４１ｂより短くなっており、シャワー用吐水口２４と、立位部取付位置５３の垂直成分距離Ｌ３１ｂが、水平成分距離Ｌ４１ｂよりも同じか、若しくは長く設定されている。そしてキッチン用水栓２０の吐水部１５の長さＬ４０ｂは、立位部１３の長さＬ５０ｂよりも短くなっている。これは、図２４に表した長さＬ５１が長さＬ４１より長く設定された場合に比べ、水平方向に対する吐水部の傾斜角度が小さくなっている。一方、図３０（ｂ）における長さＬ３１ｂは、図３０（ａ）における長さＬ３１ａよりも高くなっている。したがって、吐水された水や洗浄物を見える範囲は、若干広がるものの、やはり吐水部１５が邪魔となっているため、視認性は低い。また本質的には、吐水部１５の先端が一番使用者の目の近くにあり、焦点が合いやすくなくなるため、物理的に遮られる視野範囲以上に、吐水部の存在感が大きくなってしまい、作業効率が著しく低下してしまうという問題があった。
【０１０３】
特開２０００−２７２４８号公報等にも、吐水口を高くした水栓が記載されている。これらは、図３０（ｂ）におけるキッチン用水栓２０と同様に、吐水口から水栓取付面までの高さが高く、大物の調理器具の取り回しはよい。しかしながら吐水口の向きは略鉛直下方を向いているため、吐水口が邪魔になり、吐水されている水や、調理器具等の洗浄物の視認性が悪くなり、洗浄物の洗浄されている状態を、容易に認識することが難しかった。また吐水口が使用者の目の近くにあり、焦点が合いやすくなるため、物理的に遮られる視野範囲以上に存在感が大きくなってしまい、目線の移動が不安定となり、作業効率を低下させてしまうという問題がある。
【０１０４】
図３１は、比較例にかかるキッチン用水栓を表す側面模式図である。
図３１（ａ）に示したキッチン用水栓２０は、シャワー用吐水口２４の向きの延長線上と、取付面を含む水平面３２と、が交差する交差点５１と、シャワー用吐水口２４が取付面を含む水平面３２上に投影された投影点５２と、を結ぶ長さＬ５１ｃが、シャワー用吐水口２４と、立位部１３が取り付けられた取付面上の立位部取付位置５３の水平成分距離Ｌ４１ｃより長くなるように設定されており、シャワー用吐水口２４と、立位部取付位置５３の垂直成分距離Ｌ３１ｃが、水平成分距離Ｌ４１ｃよりも同じか、若しくは長く設定されている。そして、キッチン用水栓２０の吐水部１５の長さＬ４０ｃは、立位部１３の長さＬ５０ｃよりも短くなっている。これは、図２４に表した吐水部１５の長さＬ４０が、立位部１３の長さＬ５０よりも長く設定した場合に比べ、水平方向に対する吐水部の傾斜角度はほぼ等しいが、シャワー用吐水口２４の、キッチン用水栓２０の取付面に対する高さが長くなっている。したがって、例えば図３１（ａ）に表されるキッチン用水栓２０を、使用者と対峙する場所に設置した場合、シャワー用吐水口２４より吐水されてから着水するまでの水の軌跡の距離は長くなる。本発明者らの検討により、使用者が洗い作業を行う際には、シャワー用吐水口２４より吐水されてから洗浄物に着水するまでの間を、注視点が移動していることがわかっている。水の軌跡の距離が長くなった場合、人の有効視野範囲を外れてしまうことになり、その結果、頭部運動が誘発されるばかりか視線による動作の誘導が抑制され、作業効率が低下してしまうため好ましくない。
また、シャワー用吐水口２４が使用者から離れすぎていると、使用者側に向かって吐水が近づいてくる場合においても、使用者は手をシャワー用吐水口２４に近づくように手を差出しながら洗浄物を洗うため、結果として身体が前かがみになる、もしくは肘が伸びたままになる等身体に負担のかかる姿勢になってしまうため、楽な姿勢で作業を行うという観点からも好ましくない。
【０１０５】
図３１（ｂ）に示したキッチン用水栓２０は、シャワー用吐水口２４の向きの延長線上と、取付面を含む水平面３２と、が交差する交差点５１と、シャワー用吐水口２４が取付面を含む水平面３２上に投影された投影点５２と、を結ぶ長さＬ５１ｄが、シャワー用吐水口２４と、立位部１３が取り付けられた取付面上の立位部取付位置５３の水平成分距離Ｌ４１ｄより短くなっており、シャワー用吐水口２４と、立位部取付位置５３の垂直成分距離Ｌ３１ｄは、水平成分距離Ｌ４１ｄよりも短くなっている。そして、キッチン用水栓２０の吐水部１５の長さＬ４０ｄが、立位部１３の長さＬ５０ｄよりも長く設定されている。
これは、図２４に表したように、長さＬ５１が、長さＬ４１より長く設定された場合に比べ、水平方向に対する吐水部の傾斜角度が小さくなっており、さらに長さＬ３１ｄは短い。したがって吐水部１５が邪魔となって、視認性が低下する他、フライパンや大きな両手鍋などを洗う際には、取り回しづらくなるため使用者の負担が増加し、作業効率が低下するため好ましくない。
【０１０６】
特開２０００−２７２４８号公報や特開２０００−９６６４２号公報等にも、食器や調理器具、食材等の洗浄を素早く行うために、洗浄物に対して、広範囲に吐水をかけるキッチン用の水栓が提案されている。これらの水栓は、図３１（ｂ）におけるキッチン用水栓２０と同様に、幅広の吐水部から、広範囲の吐水が実現される。しかしながら、カウンター上面に対し、略並行に配設された吐水管から、略鉛直下方に吐水されており、吐水管は、シンクの上方部あるいは前方部に張り出している。このため、手や洗浄物を洗う際に、吐水管に遮られ、汚れ落ちやすすぎの状態が見にくくなり、洗い動作に時間がかかるといった問題があり、特に背の高い使用者においては、この傾向が顕著にみられた。また、調理台の前に立った状態から、手や洗浄物を差し出すと、吐水に届きにくいといった問題や、フライパンや鍋など大物の調理器具を吐水に差し出しにくくなる他、洗い動作においては、吐水管が邪魔になり、調理器具が取り回しの取り回しがしにくいという問題が生じる。
【０１０７】
次に、吐水部の変形例について図面を参照しつつ説明する。
図３２（ａ）は、吐水部の変形例について示したキッチン用水栓２０の側面模式図であり、図３２（ｂ）は、吐水部１５の正面模式図である。
【０１０８】
図３２（ａ）に表したキッチン用水栓２０は、整流用吐水口２２のまわりを覆うように、複数の散水孔が穿設されたシャワー用吐水口２４が配置されている。シャワー用吐水口２４の向きの延長線上と、取付面を含む水平面３２と、が交差する交差点５１と、シャワー用吐水口２４が取付面を含む水平面３２上に投影された投影点５２と、を結ぶ長さＬ５１が、シャワー用吐水口２４と、立位部１３が取り付けられた取付面上の立位部取付位置５３の水平成分距離Ｌ４１よりも長くなるように設定されており、そしてシャワー用吐水口２４と、立位部取付位置５３の垂直成分距離Ｌ３１が水平成分距離Ｌ４１よりも同じか、若しくは長くなるように、吐水部の長さＬ４０は、立位部の長さＬ５０よりも長く設定されている。このように配置することで、シャワー用吐水口２４を、吐水部１５のより上方に配置することが可能となる。すなわち、吐水部１５のより先端にシャワー用吐水口が配置されるため、シャワー用吐水口２４から吐水され、着水するまでの水を吐水部１５に遮られることなく視認することが可能となるため、洗浄物を洗う際には、頭を動かすことなく、眼球運動のみによって容易に洗浄物の、洗浄されている状態を確認することができる。
【０１０９】
図３３は、操作部の変形例について示した模式図である。
図３３に表したシステムキッチン１０は、キッチン用水栓２０と、シンク３０と、を備えている。キッチン用水栓２０は、整流用吐水口２２と、シャワー用吐水口２４と、を有している。吐止水および温度、流量を調節する操作部１６は、吐水部、立位部からなる水栓本体とは、別に水栓本体の側方で、使用者から見てシンク３０の奥側、すなわちシステムキッチン１０の後方、かつカウンター上面６２に設けられており、吐止水および温度、流量を調整するためのレバーと、レバーの操作と連動する可動弁体および固定弁体をケーシング内に収納したカートリッジを備えたシングルレバー構造を有している。
【０１１０】
本変形例によれば、操作部を吐水部からオフセットされた位置に設定できるため、より広い空間が確保され、フライパンや大きな両手鍋などを洗う際の取り回しがよくなるほか、立位部の機構が簡便になるため、デザインの自由度を増すことができる。
【０１１１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、システムキッチン１０およびキッチン用水栓２０などが備える各要素の形状、寸法、材質、配置などや、キッチン用水栓２０および散水板２６の設置形態などは、例示したものに限定されるわけではなく適宜変更することができる。またシステムキッチンとは、少なくとも吐水口を有するキッチン用水栓と、シンクを備えた調理作業を行うための設備機器を意味するものとする。
また、前述した各実施の形態が備える各要素は、技術的に可能な限りにおいて組み合わせることができ、これらを組み合わせたものも本発明の特徴を含む限り本発明の範囲に包含される。
【符号の説明】
【０１１２】
１０ システムキッチン、 
１２ 接続部、
１３ 立位部、
１４ 屈曲部、
１５ 吐水部、
１６ 操作部、
２０ キッチン用水栓、 
２２ 整流用吐水口、 
２３ 整流用配水管、 
２４ シャワー用吐水口、 
２５ シャワー用配水管、 
２６、２６ｅ 散水板、 
２７ 散水孔群、 
２７ａ、２７ｅ 散水孔、 
２８ 散水スリット、 
３０ シンク、 
３２ シンク上面、 
３４ シンク底面、 
３５ シンク中心、 
３６ シンク前面、 
３７ シンク左側面、 
３８ シンク後面、 
３９ シンク右側面、 
４０、４０ａ 水、 
４１ａ、４１ｂ 吐水口の向き、 
４２ 洗浄領域、 
４４、４６、４７，４８ 領域、 
５１、５４ 交差点、 
５２、５５ 投影点、
５３ 立位部取付位置
６０ カウンター、 
６２ カウンター上面、 
６４ カウンター前端、 
７０ 手段、 
１００ 板（洗浄物）、 
１００ａ 中心、 
１０２ 固定棒、 
１０４ 汚れ（疑似汚物）、 
１１０、１１２ 領域、 
１２０ 包丁、 
１２２ 板、 
Ｌ１ 洗浄領域４２の前後方向に対する領域長さ、 
Ｌ２ 洗浄領域４２の上下方向に対する領域長さ、 
Ｌ３ 洗浄領域４２の左右方向に対する領域長さ、 
Ｌ５ 洗浄領域４２の中心から、シンク左側側面３７までの長さ、 
Ｌ６ カウンター前端６４から洗浄領域４２の中心までの長さ、 
Ｌ７ 散水板２６ａの左右方向の幅寸法、 
Ｌ８ 散水板２６ａの上下方向の幅寸法、 
Ｌ１５ 水平方向に対する包丁の角度、 
Ｌ１６ 水平方向に対するシャワー用吐水口２４の角度、 
Ｌ１７ カウンターの前端６４と、包丁１２０の刃の長手方向の中心と、の距離、 
Ｌ１８ シンク上面３２と、包丁１２０の刃の長手方向の中心と、の距離、 
Ｌ２０ 散水スリット２８の左右方向の幅寸法、 
Ｌ２１ 散水スリット２８の上下方向の幅寸法、 
Ｌ３１、Ｌ３１ａ、Ｌ３１ｂ、Ｌ３１ｃ、Ｌ３１ｄ シャワー用吐水口２４と、立位部取付位置５３の垂直成分距離
Ｌ３２ 整流用吐水口２２と、立位部取付位置５３の垂直成分距離
Ｌ４０、Ｌ４０ａ、Ｌ４０ｂ、Ｌ４０ｃ、Ｌ４０ｄ 吐水部１５の長さ
Ｌ４１、Ｌ４１ａ、Ｌ４１ｂ、Ｌ４１ｃ、Ｌ４１ｄ シャワー用吐水口２４と、立位部取付位置５３の水平成分距離
Ｌ４２ 整流用吐水口２２と、立位部取付位置５３の水平成分距離
Ｌ５０、Ｌ５０ａ、Ｌ５０ｂ、Ｌ５０ｃ、Ｌ５０ｄ 立位部１３の長さ
Ｌ５１、Ｌ５１ａ、Ｌ５１ｂ、Ｌ５１ｃ、Ｌ５１ｄ 交差点５１と、投影点５２と、を結ぶ長さ、
Ｌ５２ 交差点５４と、投影点５５と、を結ぶ長さ
【図１】
2010106652.tif 000003
【図２】
2010106652.tif 000004
【図３】
2010106652.tif 000005
【図４】
2010106652.tif 000006
【図５】
2010106652.tif 000007
【図６】
2010106652.tif 000008
【図７】
2010106652.tif 000009
【図８】
2010106652.tif 000010
【図９】
2010106652.tif 000011
【図１０】
2010106652.tif 000012
【図１１】
2010106652.tif 000013
【図１２】
2010106652.tif 000014
【図１３】
2010106652.tif 000015
【図１４】
2010106652.tif 000016
【図１５】
2010106652.tif 000017
【図１６】
2010106652.tif 000018
【図１７】
2010106652.tif 000019
【図１８】
2010106652.tif 000020
【図１９】
2010106652.tif 000021
【図２０】
2010106652.tif 000022
【図２１】
2010106652.tif 000023
【図２２】
2010106652.tif 000024
【図２３】
2010106652.tif 000025
【図２４】
2010106652.tif 000026
【図２５】
2010106652.tif 000027
【図２６】
2010106652.tif 000028
【図２７】
2010106652.tif 000029
【図２８】
2010106652.tif 000030
【図２９】
2010106652.tif 000031
【図３０】
2010106652.tif 000032
【図３１】
2010106652.tif 000033
【図３２】
2010106652.tif 000034
【図３３】
2010106652.tif 000035
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
取付面から略鉛直方向に立ち上がる立位部と、
少なくとも１つ以上の吐水口を備え、前記立位部に対し、屈曲部を介して、前記吐水口を備えた面側に傾斜して立ち上がる吐水部と、
を有するキッチン用水栓であって、
前記吐水口から吐水された水の少なくとも一部は、前記シンクの上面と、前記シンクの前面と後面との中央部と、が交差する所定領域を通過し、前記前面と前記後面との中心よりも前記前面側の前記シンクの底面に着水するように、
前記吐水口の向きの延長線上と前記取付面を含む水平面とが交差する交差点と、前記吐水口が前記取付面を含む水平面上に投影された投影点と、を結ぶ長さが、
前記投影点と、前記立位部が取り付けられた前記取付面上の立位部取付位置と、を結ぶ長さよりも長くなるようにしたことを特徴とするキッチン用水栓。
【請求項２】
前記吐水口から吐水された水の少なくとも一部は、前記所定領域のうち、前記中心よりも前記前面側を通過することを特徴とする請求項１に記載のキッチン用水栓。
【請求項３】
前記吐水口は、前記中央部より前記後面側に位置することを特徴とする請求項１または２に記載のキッチン用水栓。
【請求項４】
前記吐水口は、複数の散水孔が穿設されシャワー水が吐水されるシャワー用吐水口であることを特徴とする請求項１乃至３のいずれか１項に記載のキッチン用水栓。
【請求項５】
前記水栓の吐止水および温度、流量を調節する操作部は、前記立位部に配設されることを特徴とする請求項１乃至４のいずれか１項に記載のキッチン用水栓。
【手続補正３】
【補正対象書類名】明細書
【補正対象項目名】０００１
【補正方法】変更
【補正の内容】
【０００１】
本発明は、キッチン用水栓に関する。
【手続補正４】
【補正対象書類名】明細書
【補正対象項目名】００１２
【補正方法】変更
【補正の内容】
【００１２】
本発明の一態様によれば、取付面から略鉛直方向に立ち上がる立位部と、少なくとも１つ以上の吐水口を備え、前記立位部に対し、屈曲部を介して、前記吐水口を備えた面側に傾斜して立ち上がる吐水部と、を有するキッチン用水栓であって、前記吐水口から吐水された水の少なくとも一部は、前記シンクの上面と、前記シンクの前面と後面との中央部と、が交差する所定領域を通過し、前記前面と前記後面との中心よりも前記前面側の前記シンクの底面に着水するように、  前記吐水口の向きの延長線上と前記取付面を含む水平面とが交差する交差点と、前記吐水口が前記取付面を含む水平面上に投影された投影点と、を結ぶ長さが、前記投影点と、前記立位部が取り付けられた前記取付面上の立位部取付位置と、を結ぶ長さよりも長くなるようにしたことを特徴とするキッチン用水栓が提供される。
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
使用時に使用者の手前側に位置するシンク前面と、このシンク前面に対向するように配置されるシンク後面と、前記シンク前面の下端と前記シンク後面の下端とに繋がっており前記シンク前面及び前記シンク後面の双方に略直交するように配置されるシンク底面とを備え断面U字状を成すシンク内に吐水するためのキッチン用水栓であって、
前記シンク後面の上端から、使用者から見て前記シンクの後方に延設され、前記シンク底面と略平行な取付面から略鉛直方向に立ち上がる立位部と、
前記立位部よりも長く前記立位部の上端から屈曲部を介して前記シンク前面側に傾斜しつつ上方に延設され、シンク底面側の面に設けられてなる吐水口を有する吐水部と、を有し、
前記吐水口は、複数の散水孔が前記吐水部の前記シンク底面側の面に略直交するように穿設され、その複数の散水孔からシャワー状の吐水を噴出することができるシャワー吐水口を少なくとも有しており、
前記吐水部は、
前記取付面を含む水平面と、前記シンク前面と前記シンク後面との間の中央部とが交差する領域に形成される食器や調理器具、食材等を洗浄するための洗浄領域の上方に、前記吐水部に遮られることなく広い空間を確保できるように、
前記シャワー吐水口を構成する前記複数の散水孔のうち前記シャワー吐水口の上下方向中央近傍に位置する中央散水孔の穿設方向の延長線上と前記取付面を含む水平面とが交差する交差点と、前記中央散水孔位置を前記取付面を含む水平面上に投影した投影点とを結ぶ長さが、前記投影点と前記立位部が前記取付面に取り付けられている立位部取付位置とを結ぶ長さよりも長くなるように構成されるとともに、
前記シャワー吐水口を構成する前記複数の散水孔全ての穿設方向の延長線が、前記シンク前面の上端を超えないように前記上端よりも下方を向くように配置され、
前記シャワー吐水口から吐水された水が、前記洗浄領域を通過し、前記シンク前面と前記シンク後面との間の中央部よりも前記シンク前面側の前記シンク底面に着水し、この着水した水が跳ねて前記シンク前面に衝突するように設けられたことを特徴とするキッチン用水栓。
【請求項２】
前記吐水口から吐水された水の少なくとも一部は、前記洗浄領域のうち、前記シンク前面と前記シンク後面との間の中央部よりも前記シンク前面側を通過することを特徴とする請求項１に記載のキッチン用水栓。
【請求項３】
前記水栓の吐止水および温度、流量を調節する操作部は、前記立位部に配設されることを特徴とする請求項１又は２に記載のキッチン用水栓。
【手続補正２】
【補正対象書類名】明細書
【補正対象項目名】００１２
【補正方法】変更
【補正の内容】
【００１２】
本発明の一態様によれば、使用時に使用者の手前側に位置するシンク前面と、このシンク前面に対向するように配置されるシンク後面と、前記シンク前面の下端と前記シンク後面の下端とに繋がっており前記シンク前面及び前記シンク後面の双方に略直交するように配置されるシンク底面とを備え断面U字状を成すシンク内に吐水するためのキッチン用水栓であって、前記シンク後面の上端から、使用者から見て前記シンクの後方に延設され、前記シンク底面と略平行な取付面から略鉛直方向に立ち上がる立位部と、前記立位部の上端から屈曲部を介して前記シンク前面側に傾斜しつつ上方に延設され、シンク底面側の面に設けられてなる吐水口を有する吐水部と、を有し、前記吐水口は、複数の散水孔が前記シンク底面側の面に直交するように穿設され、その複数の散水孔からシャワー状の吐水を噴出することができるシャワー吐水口を少なくとも有しており、前記吐水部は、前記取付面を含む水平面と、前記シンク前面と前記シンク後面との間の中央部とが交差する領域に形成される食器や調理器具、食材等を洗浄するための洗浄領域の上方に、前記吐水部に遮られることなく広い空間を確保できるように、前記シャワー吐水口を構成する前記複数の散水孔のうち前記シャワー吐水口の上下方向中央近傍に位置する中央散水孔の穿設方向の延長線上と前記取付面を含む水平面とが交差する交差点と、前記中央散水孔位置を前記取付面を含む水平面上に投影した投影点とを結ぶ長さが、前記投影点と前記立位部が前記取付面に取り付けられている立位部取付位置とを結ぶ長さよりも長くなるように構成されるとともに、前記シャワー吐水口を構成する前記複数の散水孔全ての穿設方向の延長線が、前記シンク前面の上端を超えないように前記上端よりも下方を向くように配置され、前記シャワー吐水口から吐水された水が、前記洗浄領域を通過し、前記シンク前面と前記シンク後面との間の中央部よりも前記シンク前面側の前記シンク底面に着水し、この着水した水が跳ねて前記シンク前面に衝突するように設けられたことを特徴とするキッチン用水栓が提供される。